【手続補正書】
【提出日】平成24年3月7日(2012.3.7)
【手続補正１】
【補正対象書類名】特許請求の範囲
【補正対象項目名】全文
【補正方法】変更
【補正の内容】
【特許請求の範囲】
【請求項１】
予め複数種類の薬剤に関する薬剤情報を記憶している薬剤情報記憶手段と、
患者に処方された薬剤の種類の情報の入力を受けて該薬剤の種類の情報を記憶しておく処方薬剤記憶手段と、
患者のアレルギーの履歴を含む患者の病歴情報を記憶しておく病歴情報記憶手段と、
特定の患者の情報の供給要求を携帯端末から受けて、前記処方薬剤記憶手段、前記薬剤情報記憶手段、及び前記病歴情報記憶手段を参照し、前記特定の患者に処方された薬剤の薬剤情報及び前記特定の患者の病歴情報を、前記携帯端末に出力する患者情報提供手段と、
を備えたことを特徴とする薬剤情報管理装置。
【請求項２】
前記薬剤情報は薬剤の形状を表す画像を少なくとも含み、
前記患者情報提供手段は、前記携帯端末からの薬剤の形状を表す画像の入力を受けて、該入力された画像と前記薬剤情報記憶手段に記憶されている前記画像とを比較し、画像が一致する前記薬剤の前記薬剤情報を出力する、
ことを特徴とする請求項１に記載の薬剤情報管理装置。
【請求項３】
前記薬剤情報は薬剤の形状を表す画像を少なくとも含み、
予め形状が似ている類似薬剤の種類の情報を記憶している類似薬剤記憶手段と、
前記特定の患者に処方されている薬剤の種類の情報を基に、前記類似薬剤記憶手段を検索し、前記処方されている薬剤の中に類似薬剤が含まれている場合、前記携帯端末に警告を出力する警告出力手段と、
をさらに備えたことを特徴とする請求項１又は請求項２に記載の薬剤情報管理装置。
【請求項４】
前記薬剤情報は薬剤の服用時間を少なくとも含み、
時計を有しており、前記処方された薬剤の種類の情報を基に、前記薬剤情報記憶手段から前記処方された薬剤の前記服用時間を取得し、該服用時間に前記携帯端末に服用を促す通知を出力する服用時間管理手段をさらに備えたことを特徴とする請求項１乃至請求項３のいずれか一つに記載の薬剤情報管理装置。
【請求項５】
前記服用時間管理手段は、前記携帯端末から服用済みの通知を受ける通知取得手段を備え、前記服用を促す通知をしてから前記服用済の通知を受けるまでの制限時間を予め記憶しており、前記服用を促す通知を特定の前記携帯端末に出力してから前記制限時間が経過する間に該特定の携帯端末から前記服用済みの通知を受けない場合、再度服用を促す通知を該特定の携帯端末に出力することを特徴とする請求項４に記載の薬剤情報管理装置。
【請求項６】
前記携帯端末から患者が使用している薬剤の識別情報及び患者の前記病歴情報を受信する患者情報取得手段と、
該使用している薬剤の情報及び前記病歴情報を表示手段に表示させる表示制御手段と、
をさらに備えたことを特徴とする請求項１乃至請求項５のいずれか一つに記載の薬剤情報管理装置。
【請求項７】
複数種類の薬剤に関する薬剤情報を記憶する薬剤情報記憶段階と、
患者に処方された薬剤の種類の情報の入力を受けて該薬剤の種類の情報を記憶しておく処方薬剤記憶段階と、
患者のアレルギーの履歴を含む患者の病歴情報を記憶しておく病歴情報記憶段階と、
特定の患者の情報の供給要求を携帯端末から受ける要求受信段階と、
前記特定の患者に処方された薬剤の種類の情報を取得する処方薬剤取得段階と、
前記特定の患者に処方された薬剤の薬剤情報を取得する薬剤情報取得段階と、
前記特定の患者の病歴情報を取得する病歴情報取得段階と、
前記特定の患者に処方された薬剤の薬剤情報及び前記特定の患者の病歴情報を、前記携帯端末に出力する患者情報提供段階と、
を有することを特徴とする薬剤情報管理方法。
【請求項８】
前記薬剤情報は薬剤の形状を表す画像を少なくとも含み、
前記携帯端末からの薬剤の形状を表す画像の入力を受ける画像受信段階と、
該入力された画像と前記記憶されている画像とを比較し、画像が一致する前記薬剤の薬剤情報を出力する薬剤情報出力段階と、
をさらに有することを特徴とする請求項７に記載の薬剤情報管理方法。
【請求項９】
ネットワークを介して接続された薬剤情報管理装置と、携帯端末とを備えた薬剤情報管理システムであって、
前記薬剤情報管理装置は、
予め複数種類の薬剤に関する薬剤情報を記憶している薬剤情報記憶手段と、
患者に処方された薬剤の種類の情報の入力を受けて該薬剤の種類の情報を記憶しておく処方薬剤記憶手段と、
患者のアレルギーの履歴を含む患者の病歴情報を記憶しておく病歴情報記憶手段と、
患者の識別情報を基に、前記処方された薬剤の薬剤情報を前記処方薬剤記憶手段及び前記処方薬剤管理情報から取得し、且つ前記病歴情報を前記病歴情報記憶手段から取得する情報取得プログラムを前記携帯端末に送信するプログラム送信手段と、を備え、
前記携帯端末は、
前記情報取得プログラムを受信して該プログラムを実行するプログラム実行手段と、
前記患者の識別情報を前記薬剤情報管理装置に送信する情報送信手段と、
前記処方された薬剤の薬剤情報及び前記病歴情報を取得する情報取得手段と、を備える、
ことを特徴とする薬剤情報管理システム。
【請求項１０】
前記薬剤情報管理システムは、互いに接続されていない前記薬剤情報管理装置を複数備え、
前記プログラム送信手段は、前記携帯端末が取得した前記処方された薬剤の種類の情報及び前記病歴情報を、前記薬剤情報管理装置へ送信する情報送信プログラムを前記携帯端末に送信し、
前記プログラム実行手段は、前記情報送信プログラムを受信して、前記携帯端末において該情報送信プログラムを実行し、前記情報送信手段を介して前記処方された薬剤の種類の情報及び前記病歴情報を前記薬剤情報管理装置へ送信する、
ことを特徴とする請求項９に記載の薬剤情報管理システム。
【手続補正２】
【補正対象書類名】明細書
【補正対象項目名】０００９
【補正方法】変更
【補正の内容】
【０００９】
上記目的を達成するために、請求項１に記載の薬剤情報管理装置は、予め複数種類の薬剤に関する薬剤情報を記憶している薬剤情報記憶手段と、患者に処方された薬剤の種類の情報の入力を受けて該薬剤の種類の情報を記憶しておく処方薬剤記憶手段と、患者のアレルギーの履歴を含む患者の病歴情報を記憶しておく病歴情報記憶手段と、特定の患者の情報の供給要求を携帯端末から受けて、前記処方薬剤記憶手段、前記薬剤情報記憶手段、及び前記病歴情報記憶手段を参照し、前記特定の患者に処方された薬剤の薬剤情報及び前記特定の患者の病歴情報を、前記携帯端末に出力する患者情報提供手段と、を備えたことを特徴とするものである。
【手続補正３】
【補正対象書類名】明細書
【補正対象項目名】００１０
【補正方法】変更
【補正の内容】
【００１０】
請求項７に記載の薬剤情報管理方法は、複数種類の薬剤に関する薬剤情報を記憶する薬剤情報記憶段階と、患者に処方された薬剤の種類の情報の入力を受けて該薬剤の種類の情報を記憶しておく処方薬剤記憶段階と、患者のアレルギーの履歴を含む患者の病歴情報を記憶しておく病歴情報記憶段階と、特定の患者の情報の供給要求を携帯端末から受ける要求受信段階と、前記特定の患者に処方された薬剤の種類の情報を取得する処方薬剤取得段階と、前記特定の患者に処方された薬剤の薬剤情報を取得する薬剤情報取得段階と、
前記特定の患者の病歴情報を取得する病歴情報取得段階と、前記特定の患者に処方された薬剤の薬剤情報及び前記特定の患者の病歴情報を、前記携帯端末に出力する患者情報提供段階と、を有することを特徴とするものである。
【手続補正４】
【補正対象書類名】明細書
【補正対象項目名】００１１
【補正方法】変更
【補正の内容】
【００１１】
請求項９に記載の薬剤情報管理システムは、ネットワークを介して接続された薬剤情報管理装置と、携帯端末とを備えた薬剤情報管理システムであって、前記薬剤情報管理装置は、予め複数種類の薬剤に関する薬剤情報を記憶している薬剤情報記憶手段と、患者に処方された薬剤の種類の情報の入力を受けて該薬剤の種類の情報を記憶しておく処方薬剤記憶手段と、患者のアレルギーの履歴を含む患者の病歴情報を記憶しておく病歴情報記憶手段と、患者の識別情報を基に、前記処方された薬剤の薬剤情報を前記処方薬剤記憶手段及び前記処方薬剤管理情報から取得し、且つ前記病歴情報を前記病歴情報記憶手段から取得する情報取得プログラムを前記携帯端末に送信するプログラム送信手段と、を備え、前記携帯端末は、前記情報取得プログラムを受信して該プログラムを実行するプログラム実行手段と、前記患者の識別情報を前記薬剤情報管理装置に送信する情報送信手段と、前記処方された薬剤の薬剤情報及び前記病歴情報を取得する情報取得手段と、を備える、ことを特徴とするものである。